(57)【要約】      （修正有）【課題】堅固で安定した組立式爪研ぎ傾斜台の構造を提供する。【解決手段】組立式爪研ぎ傾斜台の構造は、プラットフォーム１、組合せ接続立板２を有する。プラットフォーム１周縁には、係止片を設置する。係止片には、係止部を設置する。プラットフォーム１底部には、複数の係合ほぞを設置する。組合せ接続立板２頂点面は、傾斜を有する。組合せ接続立板２頂点面には、複数の係合ほぞを設置する。組合せ接続立板２は、複数の係合ほぞとプラットフォーム１の複数の係合ほぞとの組合せ接続を通して、プラットフォーム１両側に係合される。組合せ接続立板２は、複数の嵌合部、前係止板３をさらに有する。前係止板３には、複数の嵌合部を設置する。前係止板３の複数の嵌合部と組合せ接続立板２の複数の嵌合部とは係合して固定される。組合せ接続立板２には、複数の脚板をさらに設置する。複数の脚板には、滑り止めパッドをさらに設置する。組合せ接続構造を通して、傾斜状台を形成し、且つそれは堅固で安定している。【選択図】図８
0003201457.tif 000002
【実用新案登録請求の範囲】
【請求項１】
プラットフォーム、組合せ接続立板を有する組立式爪研ぎ傾斜台の構造であって、
前記プラットフォーム周縁には、係止片を設置し、前記係止片には、係止部を設置し、前記プラットフォーム底部には、複数の係合ほぞを設置し、
前記組合せ接続立板頂点面は、傾斜を有し、前記組合せ接続立板頂点面には、複数の係合ほぞを設置し、前記組合せ接続立板は、複数の係合ほぞと前記プラットフォームの複数の係合ほぞとの組合せ接続を通して、前記プラットフォーム両側に係合され、前記組合せ接続立板は、複数の嵌合部、前係止板をさらに有し、
前記前係止板には、複数の嵌合部を設置し、前記前係止板の複数の嵌合部と前記組合せ接続立板の複数の嵌合部とは係合して固定され、
上記した組合せ接続構造を通して、本考案は傾斜状台を形成し、且つそれは堅固で安定していることを特徴とする組立式爪研ぎ傾斜台の構造。
【請求項２】
前記組合せ接続立板には、複数の脚板をさらに設置し、
前記複数の脚板には、滑り止めパッドをさらに設置することを特徴とする請求項１に記載の組立式爪研ぎ傾斜台の構造。
【請求項３】
前記プラットフォームには、溝を貫通状にさらに設置することを特徴とする請求項２に記載の組立式爪研ぎ傾斜台の構造。
【請求項４】
前記プラットフォーム、前記組合せ接続立板、前記前係止板には、複数の貫通開口部をさらに設置することを特徴とする請求項３に記載の組立式爪研ぎ傾斜台の構造。
【請求項５】
前記組立式爪研ぎ傾斜台の構造は、ステンレス材質を採用し製造されることを特徴とする請求項４に記載の組立式爪研ぎ傾斜台の構造。
【考案の詳細な説明】
【技術分野】
【０００１】
本考案はペット用品に関し、分解／組立可能な組立式爪研ぎ傾斜台の構造に関する。
【背景技術】
【０００２】
社会的風潮の影響を受け、ペットの家庭内での位置付けに変化が生じ、共に暮らす家族としてペットを大切にする家庭が増えている。さらに、都市化、核家族化の影響、現代人の晩婚化、少子化の趨勢もあり、家庭内でペットを飼う人の割合は拡大しており、且つ大部分の家庭では、ペットのための関連用品購買意欲は非常に高い。
【０００３】
ペットも人間同様、年月に従い成長し、体毛、爪など身体器官も当然成長する。ペットは爪が伸びると不快に感じ、家具など物品で爪を研ごうとする。そのため、ペットの爪による家庭内物品への破壊をいかにして防止するかは、ペットを飼う家庭にとって重大な課題である。ほとんどの家庭では、爪研ぎ板などのペット用品を購入し、爪研ぎ場所としてペットに提供している。
【０００４】
従来の爪研ぎ用品の多くは、円柱に麻縄を巻き付けたものである。円柱底部には、底板を組合せ、爪研ぎ用品を床面に立たせる構造としている。しかし、ペットが爪を研ぐ時の力と姿勢により、従来の爪研ぎ用品はぐらつき、且つ衝突音を絶えず発する。さらに、大部分の爪研ぎ用品は消耗品であるため、一定期間の使用後は、製品全体を新たに購入しなければならない。
【考案の概要】
【考案が解決しようとする課題】
【０００５】
本考案の目的は、従来の技術の欠点を解決する組立式爪研ぎ傾斜台の構造に関する。
【課題を解決するための手段】
【０００６】
上述の目的を達成するため、本考案による組立式爪研ぎ傾斜台の構造は、プラットフォーム、組合せ接続立板を有する。
該プラットフォーム周縁には、係止片を設置し、該係止片には、係止部を設置し、該プラットフォーム底部には、複数の係合ほぞを設置する。
該組合せ接続立板頂点面は、傾斜を有し、該組合せ接続立板頂点面には、複数の係合ほぞを設置する。
該組合せ接続立板は、複数の係合ほぞと該プラットフォームの複数の係合ほぞとの組合せ接続を通して、該プラットフォーム両側に係合される。
該組合せ接続立板は、複数の嵌合部、前係止板をさらに有する。
該前係止板には、複数の嵌合部を設置し、該前係止板の複数の嵌合部と該組合せ接続立板の複数の嵌合部とは係合して固定される。
該組合せ接続立板には、複数の脚板をさらに設置し、該複数の脚板には、滑り止めパッドをさらに設置し、こうして本考案は傾斜状台を形成し、且つそれは堅固で安定している。
【０００７】
本考案による組立式爪研ぎ傾斜台の構造において、該プラットフォームには、板体に組み立てる。
該板体により、ペットは爪を研ぐことができる。
該両側組合せ接続立板を通して、本考案は床面で安定し、ペットが爪研ぎをする際の力や姿勢の変化によっても、本考案は安定し倒れることはない。
該前係止板と該両側組合せ接続立板との緊密な係合固定により、本考案は使用時により堅固で安定し、音を発生しないため、ペットの爪研ぎ回数を拡大させることができる。
該プラットフォームの板体を交換することで、購入費用節減の目的を達成することができる。
【考案の効果】
【０００８】
本考案は消毒でき清潔を保持し易い製品で、且つ堅固でぐらつきにくく、使用により衝突音を発することもない。
本考案の組み立ては、係合ほぞ構造を用いて行うため、包装面積を減らし、運送コストを引き下げることができ、使用者は簡単に分解と組み立てを行え、利用、収納、運搬に便利である。
板体は、段ボール板とすることができ、本考案構造は板体を簡単に交換することができる。
【図面の簡単な説明】
【０００９】
【図１】本考案の一実施形態による組立式爪研ぎ傾斜台の構造のプラットフォームの立体参考図である。
【図２】本考案の一実施形態による組立式爪研ぎ傾斜台の構造のプラットフォームの別の角度からの立体参考図である。
【図３】本考案の一実施形態による組立式爪研ぎ傾斜台の構造の組合せ接続立板の立体参考図である。
【図４】本考案の一実施形態による組立式爪研ぎ傾斜台の構造の組合せ接続立板の別の角度からの立体参考図である。
【図５】本考案の一実施形態による組立式爪研ぎ傾斜台の構造の前係止板の立体参考図である。
【図６】本考案の一実施形態による組立式爪研ぎ傾斜台の構造の立体分解参考図である。
【図７】本考案の一実施形態による組立式爪研ぎ傾斜台の構造の組合せ立体参考図である。
【図８】本考案の一実施形態による組立式爪研ぎ傾斜台の構造の別の角度からの組合せ立体参考図である。
【図９】本考案の一実施形態による組立式爪研ぎ傾斜台の構造の実施形態参考図（一）である。
【図１０】本考案の一実施形態による組立式爪研ぎ傾斜台の構造の実施形態参考図（二）である。
【考案を実施するための形態】
【００１０】
以下に本考案の技術内容、構造特徴、達成する目的及び作用効果について、例を挙げ並びに図面を組み合わせて詳細に説明する。
【００１１】
図１〜図１０に示すとおり、本考案の一実施形態による組立式爪研ぎ傾斜台の構造は、プラットフォーム１、組合せ接続立板２を有する。
【００１２】
プラットフォーム１周縁には、係止片１１を設置する。係止片１１には、係止部１２を設置する。プラットフォーム１底部には、複数の係合ほぞ１３を設置する。
【００１３】
組合せ接続立板２頂点面は、傾斜を有する。組合せ接続立板２頂点面には、複数の係合ほぞ２１を設置する。組合せ接続立板２は、複数の係合ほぞ２１とプラットフォーム１の複数の係合ほぞ１３との組合せ接続を通して、プラットフォーム１両側に係合される。組合せ接続立板２は、複数の嵌合部２２、前係止板３をさらに有する。
【００１４】
前係止板３には、複数の嵌合部３１を設置する。前係止板３の複数の嵌合部３１と組合せ接続立板２の複数の嵌合部２２とは係合して固定される。組合せ接続立板２には、複数の脚板２３をさらに設置する。複数の脚板２３には、滑り止めパッド２４をさらに設置する。
【００１５】
プラットフォーム１には、溝１４を貫通状にさらに設置する。プラットフォーム１、組合せ接続立板２、前係止板３には、複数の貫通開口部１５、２５、３２をさらに設置する。上記した組合せ接続構造を通して、本考案は傾斜状台を形成し、且つそれは堅固で安定している。プラットフォーム１には、板体４に組み立てる。板体４により、ペットは爪を研ぐことができる。
【００１６】
プラットフォーム１の係合ほぞ１３と両側組合せ接続立板２の係合ほぞ２１とを、堅固に係合する。両側組合せ接続立板２の嵌合部２２と前係止板３の嵌合部３１とを、堅固に嵌合する。こうして、本考案を緊密に組合せることで、使用時には、衝突音を発することはなくなる。係止片１１及び係止部１２により、板体４は、プラットフォーム１上に係合される。これにより、ペットの爪研ぎ時にも、板体４は、プラットフォーム１から離脱しなくなる。
【００１７】
且つ、本考案材料は、ステンレス材質を採用するため、堅固で質感も高く、さらに消毒できるため衛生的である。また、複数の脚板２３の滑り止めパッド２４は、３Ｍ（登録商標）の滑り止めパッドを採用するため、ペットが本考案を使用し爪研ぎをする際にも、本考案は安定して滑り動くことはない。さらに、複数の貫通開口部１５、２５、３２により、本考案は通風効果を備え、湿気や汚れの付着を防止する機能を備えながら、美観も増強でき、装飾品としての機能をも備える。
また、板体４を交換する際には、溝１４を通して、プラットフォーム１部分を上へ押し、板体４を持ち上げるだけで、使用者は取り外すことができる。
【００１８】
本考案は消毒でき清潔を保持し易い製品で、且つ堅固でぐらつきにくく、使用により衝突音を発することもない。
本考案の組み立ては、係合ほぞ構造を用いて行うため、包装面積を減らし、運送コストを引き下げることができ、使用者は簡単に分解と組み立てを行え、利用、収納、運搬に便利である。
板体は、段ボール板とすることができ、本考案構造は板体を簡単に交換することができる。
【００１９】
総合すると、本考案は確実に予期された作用効果と目的を達成し、並びにこの技術に習熟した者がこれをもとに実施できるほどに詳細に説明されたが、以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２０】
１  プラットフォーム
１１  係止片
１２  係止部
１３  係合ほぞ
１４  溝
１５  貫通開口部
２  組合せ接続立板
２１  係合ほぞ
２２  嵌合部
２３  脚板
２４  滑り止めパッド
２５  貫通開口部
３  前係止板
３１  嵌合部
３２  貫通開口部
４  板体
【図１】
0003201457.tif 000003
【図２】
0003201457.tif 000004
【図３】
0003201457.tif 000005
【図４】
0003201457.tif 000006
【図５】
0003201457.tif 000007
【図６】
0003201457.tif 000008
【図７】
0003201457.tif 000009
【図８】
0003201457.tif 000010
【図９】
0003201457.tif 000011
【図１０】
0003201457.tif 000012